(57)【要約】  建物のコンクリート区間（１４）に固定するための、クライミング型枠のクライミングシュー（１０）は、摺動シュー部（１６）を備え、摺動シュー部（１６）上に爪（５０）が設けられる。少なくとも一方の爪（５０）が、枢動式及び／又は伸縮式で前記摺動シュー部（１６）上に設けられる。
2008545073.tif 000002
【特許請求の範囲】
【請求項１】
建物のコンクリート区間（１４）に固定するための、クライミング型枠のクライミングシューであって、前記クライミングシュー（１０）は、爪（５０）が設けられた摺動シュー部（１６）を備え、前記爪（５０）は、前記爪（５０）間に案内されるやり方で移動可能に配置されるクライミングレール（２０）を保持し、前記爪（５０）が、前記クライミングレール（２０）の部分的な区間を包囲し、少なくとも１つの爪（５０）が、枢動式及び／又は伸縮式で前記摺動シュー部（１６）上に設けられることを特徴とするクライミングシュー。
【請求項２】
クライミングシュー（１０）の２つの爪（５０）が、前記クライミングレール（２０）を、前記クライミングレール（２０）の部分的な区間内で包囲し、１つの爪（５０）が、前記摺動シュー部（１６）上に枢動式に固定されることを特徴とする請求項１記載のクライミングシュー。
【請求項３】
前記枢動運動は、前記爪（５０）の閉じた状態及び外側に枢動した状態の両方において、係止ボルト（５６）によって阻止されることを特徴とする請求項２記載のクライミングシュー。
【請求項４】
前記摺動シュー部（１６）に加えて、前記クライミングシュー（１０）が壁又はスラブシュー部（１８；４６）を有し、前記摺動シュー部（１６）が、水平に位置合せされたスタブシャフト（３４）によって、前記壁又はスラブシュー部（１８；４６）に取外し可能に連結されることを特徴とする請求項１乃至３のいずれか１項に記載のクライミングシュー。
【請求項５】
前記クライミングシュー（１０）の前記壁シュー部（１８）が、垂直に位置合せされた軸（５８）を有する請求項４記載のクライミングシュー。
【発明の詳細な説明】
【技術分野】
【０００１】
本発明は、建物のコンクリート区間に固定するための、クライミング型枠のクライミングシューに関し、クライミングシューは、立設される建物の壁に沿って案内されるクライミングレールを、予め立設されたコンクリート区間内で保持する。
【背景技術】
【０００２】
一方では、クライミングレールがクライミングシュー内で移動可能であり、他方では、クライミングレールが建物の壁上で案内されるようにして保持されるようなやり方で、クライミングレールを包囲するクライミングシューが知られている。クライミングシューを壁から取り外す場合、クライミングレールをクライミングシューから引き抜かなくてはならず、そうすることで、コンクリート区間の設けられた係留点にて取付けられたクライミングシューを取り外すことが可能になる。
【発明の開示】
【発明が解決しようとする課題】
【０００３】
本発明の目的は、クライミングレールがシューの内部を貫通するときでもコンクリート区間上の静止固定部から取り外すことができるクライミングシューを提供することである。
【課題を解決するための手段】
【０００４】
この目的は、爪が設けられた摺動シュー部を備えるクライミングシューによって達成され、爪は、案内されるやり方で爪の間に取外し可能に配置された、クライミングレールを保持し、爪は、クライミングレールの一部の区間を包囲し、少なくとも１つの爪が、枢動式及び／又は伸縮式で摺動シュー部上に設けられる。
【０００５】
摺動シュー部上の１つの爪が、摺動シュー部上に枢動式及び／又は伸縮式に構成される場合、建物に取り付けられた複数のクライミングシューの中でも、本発明に係るクライミングシューは、提供されるクライミング型枠のための使用がもはや必要とされないときに、いつでも壁から取り外すことができる。これは、１つのコンクリート区間が完成し、新しいコンクリート区間を立設しようとする場合に、常に当てはまる。クライミング型枠のために使用されるクライミングレールは、立設される２つのコンクリート区間の高さよりも大きい長さを有する。したがって、クライミングレールが、最も低いクライミングシューを完全に解放するほど高く上るまで、最も低いクライミングシューは立設される壁上に常に維持されなければならない。クライミングレールが、クライミングシューと係合していないとき、これらのクライミングシューを取り外すことができる。従来技術で知られるこのクライミングシューを取り外すためには、予備プラットフォーム又は補給プラットフォームが一般に必要とされ、知られているクライミング型枠を動作させることができるように、従来技術で知られるクライミング型枠を正しく動作させるために、相当な量のクライミングシューの供給が必要とされる。
【０００６】
本発明に係るクライミングシューが使用される場合、もはや必要とされないクライミングシューを取り外すための追加の補給プラットフォームが余分となる。これらのクライミングシューは、それらをクライミングレールと係合させたままで、壁から取り外すことができるからである。必要に応じて、本発明に係るクライミングシューを、クライミングレール上の任意の位置にて取り付けることもできる。クライミングシューのクライミングレールからの取外し中に得られる利点は全て、クライミングシューのクライミングレール上への取付けにも当てはまる。
【０００７】
クライミングシューの特定の一実施形態では、クライミングシューの２つの爪がクライミングレールの部分的な区間内でクライミングレールを包囲し、１つの爪が摺動シュー部上に枢動式に固定される場合に、クライミングシューの取外しを可能にする。摺動シューの爪上に、枢動ベアリングを簡単かつコスト効率良く形成することができ、枢動運動を、係止ボルトによって極めて簡単に停止させることができる。係止ボルトが取り外されると、爪は、外側に枢動され、クライミングレールから取り外すことができる。爪が外側に枢動されているときに、同一の係止ボルトによって爪を止めることができ、それにより、枢動爪の取外し中に前記爪が制御不能に枢動しないことが確実となる。
【０００８】
本発明に係るクライミングシューが、水平に位置合せされたスタブシャフトによって互いに取外し可能に結合される、摺動シュー部及び壁又はスラブシュー部として構成される場合、枢動爪に加えてクライミングシューを分割することができるので、クライミングシューの取外しがより一層簡単になる。
【０００９】
本発明のさらなる一実施形態では、クライミングシューは、垂直に位置合せされた軸を壁シュー部内に有する。これにより、隣接するクライミングシュー同士が、クライミングシュー内に保持されたクライミングレール及びそれに結合されたコンソールを常に互いに平行に位置合せさせるようにして、クライミングシューをコンクリート区間の丸みを帯びた壁にて位置合せすることもできるという利点を有する。これにより、型枠の壁を収容するキャリッジを、例えば、コンソール又はレール上で、壁に向かって駆動し、あるいは壁から離して駆動することができるという利点を有する。
【００１０】
以下の図において、本発明によるクライミングシューを、一実施形態として示し、説明する。
【発明を実施するための最良の形態】
【００１１】
図は、本発明による実施形態を極めて概略的に示しており、縮尺通りであると考えられるべきではない。
【００１２】
以下で説明する図では、同一の機能要素を、主に同一の参照番号によって示す。これらの機能要素は、実質的に異なる構成とすることができる。
【００１３】
図１は、固定状態で係留点にてコンクリート区間１４の壁１２に取り付けられたときの、クライミングシュー１０の側面図及び部分断面図を示す。クライミングシュー１０は、摺動シュー部１６及び壁シュー部１８で構成される。クライミングレール２０が、摺動シュー部１６のキャッチ２２によって担持され、クライミングレール２０のベアリングボルト２４の下部を把持するキャッチ２２によって、側面に沿って案内される。キャッチ２２は、可能な最大偏位で示されおり、摺動シュー部１６の内部の、実質的に形成されるカウンタベアリングが、キャッチ２２の時計回りの方向のさらなる偏位を妨げる。
【００１４】
クライミングシュー１０の摺動シュー部１６上に、クライミングシリンダ２６が配置される。クライミングシリンダ２６のうち、ハウジング２８に隣接するシリンダ最下部のみを見ることができる。ハウジング２８を通じて、クライミングシリンダ２６が、クライミングシュー１０の関節シャフト３０上に配置される。安全ボルト３２が、関節シャフト３０の周りのクライミングシリンダ２６の枢動領域を妨害することなく、関節シャフト３０上にハウジング２８を固定する。安全ボルト３２が、ばね力に逆らって引っ張られ、関節シャフト３０との係合から外れるとき、クライミングシリンダ２６を、関節シャフト３０から引き抜くことができる。クライミングシリンダ２６のハウジング２８は、ゴム又は粘性弾性要素３３によって、摺動シュー部１６のハウジング壁部上で支持される。
【００１５】
摺動シュー部１６は、水平方向に位置合せされたスタブシャフト３４によって、関節をなすやり方で壁シュー部１８に連結される。摺動シュー部１６は、スタブシャフト３４の周りで、壁シュー部１８に対して枢動させることができる。
【００１６】
摺動シュー部１６の内側で、キャッチ２２を、枢動点３６の周りでばね３８の圧力に逆らって、反時計回りに枢動することができる。
【００１７】
クライミングレール２０のベアリングボルト２４による重量負荷がキャッチ２２にかけられていない場合、キャッチ２２を、レバー４０によって手動で、ばね３８の圧力に逆らって摺動シュー部１６内へと枢動させることができる。これは、クライミングレール２０が、固定して配置されたクライミングシュー１０に対して下方に動かされる場合にいつでも必要である。
【００１８】
図には、コンクリート区間１４、クライミングレール２０及びクライミングシリンダ２６の、小断面のみを示す。
【００１９】
図２は、クライミングレール２０がクライミングシリンダ２６によって上向き方向に、コンクリート区間１４の壁１２に沿って矢印４２の方向に移動するときの、クライミングレール２０の断片を示す。矢印４２の方向におけるクライミングレール２０のこのクライミング工程のために、クライミングシリンダ２６のピストンが伸張させられ、さらに、ピストンは、その自由端部にて、クライミングレール２０のベアリングボルト２４の下部を把持しそれを支持することができるキャッチを有する。
【００２０】
クライミングレール２０がクライミングシリンダ２６によって矢印４２の方向に動かされると、クライミングレール２０のベアリングボルト２４は、キャッチ２２のアプローチ傾斜部４４に押しつけられ、キャッチ２２を枢動点３６の周りでばね３８の圧力に逆らって枢動させる。同時に、キャッチ２２が、クライミングシュー１０の摺動シュー部１６内へと枢動する。
【００２１】
図３は、キャッチ２２が、ばね３８の圧力を受けて枢動点３６の周りで枢動してその初期位置へと戻るときの、コンクリート区間１４の壁１２上にある図１及び図２のクライミングシュー１０を示す。クライミングレール２０がクライミングシリンダ２６によって矢印４２の方向にさらに動かされ、それにより、ベアリングボルト２４がキャッチ２２を再び解放し、キャッチ２２が枢動してその初期位置へと戻ることが可能である。
【００２２】
クライミングシリンダ２６が収縮されるとき、ベアリングボルト２４は、キャッチ２２上に載り、クライミングシュー１０は、クライミングレール２０を、コンクリート区間１４の壁１２上の図示の位置に保持する。
【００２３】
図４は、摺動シュー部１６及びスラブシュー部４６で構成された、変形されたクライミングシュー１０の側面図を示す。スラブシュー部４６は、コンクリート区間１４のスラブ４８上にあり、そこで定位置に固定される。摺動シュー部１６は、スタブシャフト３４によって、関節をなすやり方でスラブシュー部４６に固定される。スタブシャフト３４がスラブシュー部４６から取り外されるとき、爪５０を有する摺動シュー部１６を、スラブシュー部４６から取り外すことができる。摺動シュー部１６の１つ又は複数のキャッチは、クライミングレールが挿入されるときに、クライミングレールのベアリングボルトの下部を把持し、あるいはクライミング工程中にベアリングボルトによって枢動させることができるものであり、爪５０によって覆われている。摺動シュー部１６内のキャッチにヒンジ付けされたレバー４０が図示されており、摺動シュー部１６内の１つ又は複数のキャッチは、レバー４０によって手動で枢動させることができる。
【００２４】
タブ５２が、摺動シュー部１６上に示されており、関節シャフト３０を担持する。クライミングシリンダは関節シャフト３０上に配置される。
【００２５】
図５は、摺動シュー部１６及び壁シュー部１８で構成され、ある固定位置にてコンクリート区間１４の壁１２に固定されるクライミングシュー１０の平面図を示す。摺動シュー部１６は、スタブシャフト３４によって関節をなすやり方で壁シュー部１８に連結される。爪５０は、クライミングレール２０のＵ字プロファイルの脚部を包囲し、壁１２上で案内されるクライミングレール２０を保持する。摺動シュー部１６のキャッチ２２は、クライミングレール２０の片側において、ベアリングボルト２４の下部を把持する。クライミングシュー部分１６上には、クライミングシリンダを設置するための関節シャフト３０が配置される。左側の爪５０の如何なる可能な枢動運動も妨げる係止ボルト５６がその保持部から引き抜かれると、片方の爪５０が軸５４の周りで枢動可能となる。
【００２６】
図６は、片側で爪５０が枢動して開いた状態の、図５のクライミングシュー１０を示す。
【００２７】
クライミングレール２０が存在する状態で、コンクリート区間１４の壁１２上のクライミングシュー１０が分解され又は取り外される場合、係止ボルト５６が摺動シュー部１６の硬質の壁部と非係合状態にされて爪５０内の開口部から引き抜かれるときに、摺動シュー部１６の爪５０を、枢動させて開くことができる。アンロッキングが解放されると、爪５０を軸５４の周りで枢動させることができる。爪５０が枢動されて開かれているときに、係止ボルト５６を挿入してその定位置に戻すことができ、これにより、爪５０が係止され、爪５０が図に示す状態に確実に維持される。次いで、スタブシャフト３４が、摺動シュー部１６と壁シュー部１８との間で、共通の取付部から矢印５７の方向に引き抜くことによって取り外されると、摺動シュー部１６をクライミングレール２０から取り外すことができる。必要に応じて、壁シュー部１８を、壁１２におけるその係留位置から解放し、取り外すことができる。
【００２８】
図７は、コンクリート区間１４の壁１２上の、カルダン式に（cardanically）取り付けられたクライミングシュー１０の側面図を示す。摺動シュー部１６は、スタブシャフト３４によって、水平方向に関節をなすやり方で壁シュー部１８に連結される。図１から図６のクライミングシューに加えて、壁シュー部１８は、垂直に位置合せされた軸５８を有し、その周りで、壁シュー部１８を摺動シュー部１６と共に、必要に応じて外側へと摺動させることができる。関節シャフト３０を担持するタブ５２は、摺動シュー部１６上に形成される。爪５０は、爪５０の間に配置されたキャッチを覆う。
【００２９】
図８は、図７のカルダン式に取り付けられたクライミングシュー１０の平面図を示す。クライミングシュー１０は、コンクリート区間１４の壁１２上の固定位置内に保持され、垂直に位置合せされた軸５８の周り、及びスタブシャフト３４によって形成された水平に位置合せされた軸の周りで、枢動することができる。摺動シュー部１６は、スタブシャフト３４によって壁シュー部１８上に枢動式に保持され、壁シュー部１８は、軸５８によって内側へと枢動することができる。爪５０が、軸５４の周りに枢動式に取り付けられ、係止ボルト５６は、定位置にあるとき、摺動シュー部１６と枢動可能な爪５０との間に強固な爪連結部を作り出す。枢動可能なキャッチ２２は、摺動シュー部１６内で爪５０の間に配置される。
【００３０】
図９は、丸みを帯びて構成されたコンクリート区間１４の平面図を示す。クライミングシュー１０は、コンクリート区間１４上に設けられた係留点にて固定され、それぞれ爪５０間でクライミングレール２０を案内し、クライミングレール２０は、クライミングレール２０内に設けられたベアリングボルト２４、及びクライミングシュー１０内に配置されたキャッチによって、定位置に保持される。コンソール又はレール６０は、クライミングレール２０上に固定され、カルダン式に取り付けられたクライミングシュー１０によって、コンクリート区間１４上で常に互いに平行に位置合せされて延びる。コンソール又はレール６０が常に平行に位置合せされる場合、コンクリート区間１４の曲率が大幅に変わるときであっても、型枠キャリッジを、レール６０によって、コンクリート区間１４に向かって移動し、あるいはコンクリート区間１４から離れて移動することができる。クライミングシュー１０は、コンソール６０又はレールが互いに平行に延び、これがコンクリート区間１４の曲率半径と無関係になるように、垂直に位置合せされた軸５８によって常にクライミングレール２０と位置合せされる。
【００３１】
建物のコンクリート区間１４上に固定するための、クライミング型枠のクライミングシュー１０は、爪５０が設けられた摺動シュー部１６を備える。少なくとも１つの爪５０が、摺動シュー部１６上に枢動式及び／又は伸縮式に設けられる。
【図面の簡単な説明】
【００３２】
【図１】コンクリート壁上の固定位置内に取り付けられ、クライミングレールを、移動させることができないように案内し保持する場合における、本発明に係るクライミングシューを示す断面図である。
【図２】キャッチがクライミングシュー内へと枢動した状態における、本発明に係るクライミングシューを示す断面図である。
【図３】キャッチがクライミングシューから外側に枢動してベアリングボルトと係合していない状態における、本発明に係る図１及び図２のクライミングシューを示す断面図である。
【図４】コンクリート区間のスラブ上に配置されそこに固定されたスラブシューを有する、クライミングシューを示す図である。
【図５】コンクリート区間上に固定され、爪でクライミングレールを包囲するときの、クライミングシューを示す平面図である。
【図６】クライミングレールからの取外しのために爪が片側で開いた状態である、壁のコンクリート区間上に固定されるときのクライミングシューを示す平面図である。
【図７】水平及び垂直に位置合せされた軸の周りのカルダン式取付部を有する、固定位置においてコンクリート区間の壁上に固定されるときの、クライミングシューを示す側面図である。
【図８】図７によるクライミングシューを示す平面図である。
【図９】コンクリート区間の凸状に形成された壁上に、カルダン式に取り付けられ位置決め固定されたクライミングシューを、平行に位置合せされたコンソール又はレール要素を保持するクライミングレールと共に示す図である。
【符号の説明】
【００３３】
１０  クライミングシュー
１４  コンクリート区間
１６  摺動シュー部
２０  クライミングレール
５０  爪
【図１】
2008545073.tif 000003
【図２】
2008545073.tif 000004
【図３】
2008545073.tif 000005
【図４】
2008545073.tif 000006
【図５】
2008545073.tif 000007
【図６】
2008545073.tif 000008
【図７】
2008545073.tif 000009
【図８】
2008545073.tif 000010
【図９】
2008545073.tif 000011
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
建物のコンクリート区間（１４）に固定するためのクライミングシュー（１０）であって、前記クライミングシュー（１０）は、爪（５０）が設けられた摺動シュー部（１６）を備え、前記爪（５０）は、前記爪（５０）間に案内されるやり方で移動可能に配置されるクライミングレール（２０）を保持し、前記爪（５０）が、前記クライミングレール（２０）の部分的な区間を包囲し、少なくとも１つの爪（５０）が、前記クライミングレール（２０）を挿入又は移動するために枢動式及び／又は伸縮式で前記摺動シュー部（１６）上に設けられることを特徴とするクライミングシュー。
【請求項２】
前記クライミングシュー（１０）の２つの爪（５０）が、前記クライミングレール（２０）を、前記クライミングレール（２０）の部分的な区間内で包囲し、１つの爪（５０）が、前記摺動シュー部（１６）上に枢動式に固定されることを特徴とする請求項１記載のクライミングシュー。
【請求項３】
前記枢動運動は、前記爪（５０）の閉じた状態及び外側に枢動した状態の両方において、係止ボルト（５６）によって阻止されることを特徴とする請求項２記載のクライミングシュー。
【請求項４】
前記摺動部分（１６）に加えて、前記クライミングシュー（１０）が、壁又はスラブシュー部分（１８；４６）を有し、前記摺動シュー部分（１６）が、水平に位置合せされたスタブシャフト（３４）によって、前記壁又はスラブシュー部分（１８；４６）に取外し可能に連結されることを特徴とする請求項１乃至３のいずれか１項に記載のクライミングシュー。
【請求項５】
前記クライミングシュー（１０）の前記壁シュー部分（１８）が、垂直に位置合せされた軸（５８）を有する請求項４記載のクライミングシュー。
【手続補正３】
【補正対象書類名】明細書
【補正対象項目名】０００１
【補正方法】変更
【補正の内容】
【０００１】
本発明は、建物のコンクリート区間に固定するための、クライミングシューに関し、クライミングシューは、立設される建物の壁に沿って案内されるクライミングレールを、既に立設されたコンクリート区間内で保持する。
【手続補正４】
【補正対象書類名】明細書
【補正対象項目名】０００２
【補正方法】変更
【補正の内容】
【０００２】
一方では、クライミングレールがクライミングシュー内で移動可能であり、他方では、クライミングレールが建物の壁上で案内されるようにして保持されるようなやり方で、クライミングレールを包囲するクライミングシューが知られている。クライミングシューを壁から取り外す場合、クライミングレールをクライミングシューから引き抜かなくてはならず、そうすることで、コンクリート区間の設けられた係留点にて取付られたクライミングシューを取り外すことが可能になる。
米国特許出願公開第２００３／０５２２５９号明細書は、クライミング型枠を開示及び記載している。足場ユニットは、クライミングレールによって、コンクリートが打たれる壁に沿って案内され、かつ、プラットフォームを、必要に応じて、壁に沿って基礎構造の上方に位置決めする。クライミングレールは、クライミングシュー内で壁に沿って取外し可能に案内される。クライミングレールは、それらのサイズ及び形状に従って空き空間内に収容され、指状の爪によって包囲されて定位置に保持される。
【手続補正５】
【補正対象書類名】明細書
【補正対象項目名】０００３
【補正方法】変更
【補正の内容】
【０００３】
本発明の目的は、クライミングレールがシューの内部を通るときでもコンクリート区間上の静止固定部から取り外すことができる、クライミングシューを提供することである。
【手続補正６】
【補正対象書類名】明細書
【補正対象項目名】０００４
【補正方法】変更
【補正の内容】
【０００４】
この目的は、爪が設けられた摺動シューを備えるクライミングシューによって達成され、爪は、案内されるやり方で爪の間に取外し可能に配置された、クライミングレールを保持し、爪は、クライミングレールの一部の区間を包囲し、少なくとも１つの爪が、クライミングレールを挿入又は移動するために枢動式及び／又は伸縮式で摺動シュー部分上に設けられる。
【手続補正７】
【補正対象書類名】明細書
【補正対象項目名】０００５
【補正方法】変更
【補正の内容】
【０００５】
摺動シュー部分上の１つの爪が、摺動シュー部上に枢動式及び／又は伸縮式に構成される場合、建物に取り付けられた複数のクライミングシューの中でも、本発明に係るクライミングシューは、例えば、提供されるクライミング型枠のための使用がもはや必要とされないときに、いつでも壁から取り外すことができる。これは、１つのコンクリート区間が完成し、新しいコンクリート区間を立設しようとする場合、常に当てはまる。クライミング型枠のために使用されるクライミングレールは、立設される２つのコンクリート区間の高さよりも大きい長さを有する。したがって、クライミングレールが、最も低いクライミングシューを完全に解放するほど高く上るまで、最も低いクライミングシューは、立設される壁上に常に維持されなければならない。クライミングレールが、クライミングシューと係合していないとき、これらのクライミングシューを取り外すことができる。従来技術で知られるこのクライミングシューを取り外すためには、予備プラットフォーム又は補給プラットフォームが一般に必要とされ、知られているクライミング型枠を動作させることができるように、従来技術で知られるクライミング型枠を正しく動作させるために、相当な量のクライミングシューの供給が必要とされる。
【手続補正８】
【補正対象書類名】明細書
【補正対象項目名】０００６
【補正方法】変更
【補正の内容】
【０００６】
本発明に係るクライミングシューが使用される場合、もはや必要とされないクライミングシューを取り外すための追加の補給プラットフォームが余分となる。（これらのクライミングシューは、それらをクライミングレールと係合させたままで、壁から取り外すことができるからである。必要に応じて、本発明に係るクライミングシューを、クライミングレール上の任意の位置にて取り付けることもできる。クライミングシューのクライミングレールからの取外し中に得られる利点は全て、クライミングシューのクライミングレール上への取付けにも当てはまる。）
【国際調査報告】
2008545073.tif 000012
2008545073.tif 000013
2008545073.tif 000014
2008545073.tif 000015